(57)【要約】【課題】  レンズ付きフイルムユニットに内蔵された専用電池を効率良く使用する。【解決手段】  レンズ付きフイルムユニット２は、ユニット本体３及び外装シート４からなる。外装シート４には、切替阻止片６８，６９が一体に形成されている。切替阻止片６８，６９は、ストロボ充電スイッチ８及びライトガイド１３を覆い隠している。使用時に切替阻止片６８，６９をミシン目に沿って取り外すと、ストロボ充電スイッチ８及びライトガイド１３が露呈し、ストロボ充電が可能となる。【選択図】        図７
2005049600.tif 000002
【特許請求の範囲】
【請求項１】
未露光の写真フイルムパトローネが装填されており、電源となる電池が内蔵され、この電池から電流が供給される回路基板と、この回路基板のオン／オフ状態の切り替えを行う切替操作部材とが組み込まれたユニット本体を備えたレンズ付きフイルムユニットにおいて、
前記電池として専用電池を使用し、未使用時には前記ユニット本体に取り付けられて前記切替操作部材の切り替え操作を阻止し、使用時には前記ユニット本体から取り外されて前記切替操作部材の切り替え操作を許容する切替阻止部材を設けたことを特徴とするレンズ付きフイルムユニット。
【請求項２】
前記切替阻止部材は、前記切替操作部材、又は切替操作部材の切り替え操作に連動して移動する連動部材を覆い隠すように前記ユニット本体に取り付けられていることを特徴とする請求項１記載のレンズ付きフイルムユニット。
【請求項３】
前記切替阻止部材は、前記ユニット本体を覆う外装シートと一体に形成されていることを特徴とする請求項２記載のレンズ付きフイルムユニット。
【請求項４】
未露光の写真フイルムパトローネが装填されており、電源となる電池が内蔵され、前記電池の両極に接続される電極接片と、この電極接片が接続され、前記電池から電極接片を介して電流が供給される回路基板とが組み込まれたユニット本体を備えたレンズ付きフイルムユニットにおいて、
前記電池として専用電池を使用するとともに、前記ユニット本体の外部から前記電池と前記電極接片との間に挿入可能な剛性を有する絶縁部材を備え、未使用時には前記電池と前記電極接片との間に挿入されて電気的接続を阻止し、使用時には前記ユニット本体から取り外されて前記電池と前記電極接片との電気的接続を許容する絶縁部材を設けたことを特徴とするレンズ付きフイルムユニット。
【請求項５】
前記絶縁部材は、未使用時に前記ユニット本体を保護する保護部材と一体に形成されていることを特徴とする請求項４記載のレンズ付きフイルムユニット。
【発明の詳細な説明】
【技術分野】
【０００１】
本発明は、レンズ付きフイルムユニットに関するものであり、更に詳しくは、専用の電池を内蔵するレンズ付きフイルムユニットに関するものである。
【背景技術】
【０００２】
予め写真フイルムが装填された１回使用型の簡易型カメラとして、レンズ付きフイルムユニットが知られている。従来、レンズ付きフイルムユニットには、単３、単４型規格の乾電池が内蔵されることが一般的である。この単３，４型規格の乾電池は主に、レンズ付きフイルムユニットに組み込まれたストロボ装置の電源として用いられる。また、近年では、環境負荷の低減を図るために、ストロボ回路の省電力設計も進み、容量の大きい単３型から、より小さい単４型電池又はさらに小型の電池への切り替えが考えられており、このような小型の電池を使用することで、ＣＯ2 排出量の低減を図ることが望まれている。
【０００３】
上述したようにレンズ付きフイルムユニットに内蔵される乾電池は、レンズ付きフイルムユニットを構成する他の部品群と比較しても、寸法、重量ともに大きく、レンズ付きフイルムユニットの小型化を図るうえで、妨げとなることが多かった。そこで特許文献１記載のレンズ付きフイルムユニットでは、内部の部品配置に工夫を施して小型化を図ろうとしている。このレンズ付きフイルムユニットでは、ユニット本体の構成が、撮影レンズなどを保持する鏡胴部、パトローネを収納するパトローネ室、及びフイルムを巻き取っておくスクロール室とからなり、鏡胴部とパトローネ室との間隙に乾電池を配置するとともに、この乾電池の反対側、すなわち鏡胴部とスクロール室との間隙に、ストロボ用のメインコンデンサを配置して部品配置の効率を向上し、レンズ付きフイルムユニットの小型化に寄与することを可能としている。
【０００４】
しかしながら、レンズ付きフイルムユニットのより一層の小型化を図るうえでは、従来規格の電池を使用して、その部品配置に工夫を施すだけでは、非常に困難となっている。そこで、レンズ付きフイルムユニットの小型化を図るうえでの新しい工夫として、従来の単３，４型規格とは異なる寸法のレンズ付きフイルムユニット専用の電池を使用することが考えられている。すなわち、このような専用電池を使用することによって、電池の収納スペース、及び内部の部品配置の効率を向上してレンズ付きフイルムユニットの小型化を図ることができる。
【０００５】
ところで、上述したようなレンズ付きフイルムユニットは、その殆どの構成部品がリサイクル利用されるように設計されており、レンズ付きフイルムユニットを製造した正規のメーカーは、リサイクルに際してストロボ装置を含む殆どの構成部品を分解し、洗浄、検査後に再び製造ラインに投入している。これにより、リサイクルされたレンズ付きフイルムユニットの品質を、新規に製造されたレンズ付きフイルムユニットと何ら変わらない高品質に維持している。
【０００６】
一方、現在市販されているレンズ付きフイルムユニットの中には、ユニット本体を製造した正規のメーカーとは異なる第三者が、撮影済の写真フイルムカートリッジを抜き取った後の使用済みのユニット本体に、そのまま未使用の写真フイルムを再装填するとともに、電池などの消耗部品を新しいものと交換して販売している、いわゆる詰め替え製品と称されるものがある。
【０００７】
このような、正規の製造者とは異なる第三者がユニット本体を不正に再利用した、いわゆる詰め替え製品は、適正な検査や修理が行われずに販売されるため、信頼性に乏しいという問題がある。さらに、詰め替え製品に発生する問題は、レンズ付きフイルムユニットそのものに対する信頼性を傷つける。また、上述したようなメーカーによるリサイクルの促進も妨げることになるため、レンズ付きフイルムユニットの再使用防止のための工夫が必要とされている。
【０００８】
そこで、上述のレンズ付きフイルムユニットの小型化とともに、不正な詰め替え使用を防止するためにも、レンズ付きフイルムユニット専用の電池を使用し、有効な防止策を施すことが求められている。すなわち、このような専用電池を使用することで、レンズ付きフイルムユニットから専用電池を抜き取っても単３，４型規格の乾電池を内蔵することが困難であるため、詰め替え使用を防ぐことができる。さらに、小型の専用電池を使用することで環境負荷の低減を図ることも可能である。
【０００９】
しかしながら、専用電池を使用する場合、特に、従来の単３型や単４型規格の乾電池よりも容量の少ない専用電池を使用する場合には、専用電池から供給される電流を無駄なく消費することが重要であるが、これまでは専用電池をレンズ付きフイルムユニットに内蔵することは余り考えられておらず、特に少ない容量の専用電池を効率良く使用する工夫はなかった。
【００１０】
また、特許文献２には、包装袋と一体に設けた絶縁テープなどの絶縁部材を、ユニット本体の内部に組み込まれた電池の一方の電極と、この電極に対応した電極接片との間に挟み込み、未使用時におけるストロボ装置への通電を防ぐ構成としたレンズ付きフイルムユニットが記載されており、このような絶縁部材を設けることによって専用電池の無駄な消費を防ぐことも考えられるが、レンズ付きフイルムユニットの組み立ての途中で、専用電池の電極と電極接片との間に絶縁部材を挟み込む工程を行わなければならず、組み立て工程を複雑にすることとなり、生産効率を低下させてしまう。
【特許文献１】特開平１０−２５４０３３号公報
【特許文献２】特開平６−４３５９２号公報
【発明の開示】
【発明が解決しようとする課題】
【００１１】
解決しようとする問題点は、従来の規格に合わせた乾電池とは異なる寸法の専用電池を内蔵したレンズ付きフイルムユニットでは、その専用電池を効率良く使用できず、製品寿命が短くなる点、及び専用電池の通電を防ぐ絶縁部材を用いた場合、生産効率が低下する点である。
【課題を解決するための手段】
【００１２】
本発明は、未露光の写真フイルムパトローネが装填されており、電源となる電池が内蔵され、この電池から電流が供給される回路基板と、この回路基板のオン／オフ状態の切り替えを行う切替操作部材とが組み込まれたユニット本体を備えたレンズ付きフイルムユニットにおいて、前記電池として専用電池を使用し、未使用時には前記ユニット本体に取り付けられて前記切替操作部材の切り替え操作を阻止し、使用時には前記ユニット本体から取り外されて前記切替操作部材の切り替え操作を許容する切替阻止部材を設けたことを特徴とする。なお、前記切替阻止部材は、前記切替操作部材、又は切替操作部材の切り替え操作に連動して移動する連動部材を覆い隠すように前記ユニット本体に取り付けられていることを特徴とする。さらに、前記切替阻止部材は、前記ユニット本体を覆う外装シートと一体に形成されていることを特徴とする。
【００１３】
また、本発明では、未露光の写真フイルムパトローネが装填されており、電源となる電池が内蔵され、前記電池の両極に接続される電極接片と、この電極接片が接続され、前記電池から電極接片を介して電流が供給される回路基板とが組み込まれたユニット本体を備えたレンズ付きフイルムユニットにおいて、前記電池として専用電池を使用するとともに、前記ユニット本体の外部から前記電池と前記電極接片との間に挿入可能な剛性を有する絶縁部材を備え、未使用時には前記電池と前記電極接片との間に挿入されて電気的接続を阻止し、使用時には前記ユニット本体から取り外されて前記電池と前記電極接片との電気的接続を許容する絶縁部材を設けたことを特徴とする。なお、前記絶縁部材は、未使用時に前記ユニット本体を保護する保護部材と一体に形成されていることを特徴とする。
【発明の効果】
【００１４】
本発明のレンズ付きフイルムユニットは、ユニット本体に内蔵される電源として専用電池を使用することで、ユニット本体の小型化、及び詰め替え防止を図ることを可能にしつつ、専用電池を無駄なく使用し、製品寿命を延ばせるという利点と、組立工程を容易に行うことを可能にするという利点がある。
【発明を実施するための最良の形態】
【００１５】
図１は、本発明を実施したレンズ付きフイルムユニットの外観斜視図である。レンズ付きフイルムユニット２は、各種撮影機構が組み込まれたユニット本体３と、このユニット本体３を部分的に覆う外装シート４とから構成されている。外装シート４は、例えば厚紙などから形成されている。ユニット本体３の前面には、撮影レンズ５、対物側ファインダ窓６、ストロボ発光部７、ストロボ切替操作部材８等が設けられている。また、ユニット本体３の上面には、レリーズボタン１１、残り撮影可能コマ数を表示するカウンタ窓１２、ストロボ充電表示用のライトガイド１３が形成されている。さらに、ユニット本体３の背面側には、巻上げノブ１４、接眼側ファインダ窓などが露呈される。
【００１６】
ストロボ切替操作部材８は、後述するストロボ装置１５のオン／オフ状態を切り替えるためのものであり、ストロボ切替操作部材８が通常位置（図中下側）のときストロボ装置１５はオフ状態であり、ストロボ切替操作部材８を充電位置（図中上側）にスライド操作したとき、ストロボ装置１５がオン状態となり、充電が開始される。
【００１７】
図２に示すように、ユニット本体３は、ライトガイド１３、ストロボ装置１５露光装置１６が組み込まれる本体基部１９と，その本体基部１９の前後を覆うように取り付けられる前カバー２０、及び後カバー２１とから構成されている。前カバー２０には、撮影レンズ５、対物側ファインダ窓６、ストロボ発光部７、ストロボ切替操作部材８等を露呈するための開口が形成されている。
【００１８】
本体基部１９には、左右にパトローネ室２２とフイルムロール室２３と、それらの間に位置するアパーチャ２４（図３参照）とが一体に形成されており、アパーチャ２４の前方に露光装置１６が設けられている。また、露光装置１６とフイルムロール室２３との間には、ストロボ装置１５が爪結合により取り付けられる。さらにまた、パトローネ室２２及びフイルムロール室２３には、フイルムカートリッジ２５と写真フイルム２６とをロール状にしたフイルムロール２６ａとがそれぞれ装填される。このパトローネ室２２の上部には巻上げノブ１４が回動自在に配置され、その下部に一体に設けられた軸部材がパトローネ室２２に収納されたフイルムカートリッジ２５のスプール２５ａに係合される。この巻上げノブ１４を図中反時計方向に回動させることにより、撮影済の写真フイルム２６がフイルムカートリッジ２５内に巻き上げられる。
【００１９】
後カバー２１は、本体基部１９の背面を覆うように取り付けられ、本体基部１９との間に，フイルムロール室２３からアパーチャ２４の背後を通ってパトローネ室２２に至るまでのフイルム給送路を形成する。このフイルム給送路を通って写真フイルム２６がフイルムロール室２３からパトローネ室２２の内部に装填されたフイルムカートリッジ２５に収納される。また、後カバー２１には、その底部に底蓋２１ａ，２１ｂが形成されており、これらの底蓋２１ａ，２１ｂによってパトローネ室２２とフイルムロール室２３の底部が光密に閉じられる。
【００２０】
ストロボ装置１５は、詳しくは図３に示すように、回路基板３０にストロボ発光部７、メインコンデンサ３１、シンクロスイッチ３２、一対の電極接片３３，３４等を組み付けてユニット化したものである。この回路基板３０の裏側には、充電完了表示用の発光素子３５が実装されており、メインコンデンサ３１の充電とともに点滅を開始する。
【００２１】
なお、回路基板３０の前面には、受け板３７、及びストロボ切替操作部材８が取り付けられる。ストロボ切替操作部材８が通常位置から上方の充電位置に向けてスライドされると、ストロボ切替操作部材８の背面側に形成された突起部（図示せず）が、回路基板３０上に設けられた金属接片３０ａを押圧してストロボ回路がオン状態となりメインコンデンサ３１への充電が開始される。このストロボ装置１５は、シャッタ機構を作動させたときに回動するシャッタ羽根（図示せず）によりシンクロスイッチ３２が短絡し、ストロボ光を発光させるようになっている。
【００２２】
一対の電極接片３３，３４は、回路基板３０の一端に接続されており、専用電池（以下、単に電池と称する。）４１を装着してストロボ回路に給電を行う。正極側の電極接片３３、及び負極側の電極接片３４は全体が金属板製で折り曲げ形成され、電池４１の正極端子４２及び負極端子４３に各々接触し、弾性により電池４１を保持する。電池４１は、電極接片３３，３４によって保持されてストロボ装置１５とともに本体基部１９に固定されることによりアパーチャ２４の下方に内蔵される。
【００２３】
電池４１は、レンズ付きフイルムユニット専用の電池であり、従来の規格、例えば単３，単４型の電池とは異なる寸法のものである。この電池４１は、図４、及び図５に示すように、第１〜３正極材４４ａ〜ｃと、負極材４５と、セパレータ４６と、これらを封入するケース４７とからなる。
【００２４】
正極材４４ａ〜ｃは、ケース４７の内部に同軸上に位置するように３段積み重ねた状態で封入されている。この正極材２ａ〜ｃのうち、第１正極材４４ａ及び第２正極材４４ｂは、ともに外形寸法が同じ、すなわち外周径Ｄ、内周径ｄ、及び軸長Ｌ１がともに同じように形成されている。そして、第３正極材２ｃは、外周径Ｄ及び内周径ｄは第１，２正極材４４ａ，４４ｂと同じであるが、その軸長Ｌ２が、第１，２正極材４４ａ，４４ｂの軸長Ｌ１よりも短い寸法に形成されている。
【００２５】
ケース４７は，ケース本体４８と、封止部材４９とからなる。ケース本体４８は、鋼板をプレス加工などにより形成したものであり、一端部（正極側）が塞がれ、他端部（負極側）が開口された略円筒形状に形成されている。封止部材４９は、このケース本体４８の負極側を封止する。ケース本体４８の一端部には、軸方向に沿って突出し、小さな円板状に形成された正極端子４２が一体に設けられている。
【００２６】
セパレータ４６は、正極材４４ａ〜ｃの内部に嵌合され、その内部には、負極材４５が充填される。封止部材４９は、負極集電体５１、負極端子を兼ねる封止板４３、ガスケット５３、キャップ５４とからなる。ガスケット５３の負極側には、キャップ５４が嵌合されている。さらに、このキャップ５４には、封止板５２が当接している。この封止部材４９がケース本体４８に取り付けられるときには、ケース本体４８の端縁部を折り返して封止板４３に係合させる。これによって、ケース本体８の負極側が封止部材４９によって封止された状態となる。
【００２７】
封止部材４９を構成するガスケット５３としては、周知の水素透過性のあるフイルタ、例えば多孔性ポリウレタンフォームなどの材料から形成されることが好ましい。この封止部材４９を水素透過性のある材料から形成することによって、負極材４５から発生される水素ガスが、ガスケット５３を透過して外部に流出されるので、従来の規格に適合させたアルカリ電池のように水素を貯留させるスペースを内部に設ける必要がなく、負極材４５又は正極材４４ａ〜ｃをケース４７の容量の限界近くまでに無駄なく充填することが可能となる。
【００２８】
さらに、電池４１の表面には、商品名や模様などを表すためのラベル５５が貼付されており、このラベル５５には、図３に示すように、レンズ付きフイルムユニット専用の電池であることを示すための注意書き５５ａが標記されている。またさらに、ラベル５５には、正極端子側であることを示すための「＋」印の図柄５５ｂ、及び負極端子側であることを示すための「−」印の図柄５５ｃが標記されている。なお、電池４１は、例えば、従来規格の単３型電池よりも軸長のみが短く形成されている。すなわち、電池４１の外形寸法は、直径９ｍｍ以上、且つ１５ｍｍ以下、軸長４０ｍｍ以下となるように形成されていることが好ましい。このようなレンズ付きフイルムユニット専用の電池４１を使用することで、ユニット本体３の小型化、及び詰め替え防止を図ることができる。
【００２９】
ライトガイド１３は、詳しくは図３に示すように、透明なプラスチックから形成されており、筒状の取付穴を含む取付部６１と、発光素子３５の光を内面反射するガイド部６２とから構成される。取付部６１は、本体基部１９と一体に形成されたガイドピン６３にスライド自在に取り付けられる。この取付部６１の前面には、ピン６４が一体に形成されており、ストロボ切替操作部材８の挟持部８ａに挟み込まれる。これにより、ライトガイド１３はストロボ切替操作部材８に連動し、メインコンデンサ３１の充電時には、後述するガイド部６２の一部がユニット本体３の上面から突出する。
【００３０】
ガイド部６２は、入射面６２ａと、出射面６２ｂとが形成されている。このガイド部６２は、ストロボ切替操作部材８を上方にスライド移動した時に、入射面６２ａが発光素子３５に対面するとともに、出射面６２ｂがユニット本体３の上面から突出する。入射面６２ａから入射した発光素子３５の光は、ライトガイド１３の内部で反射し、出射面６２ｂから外部へと出射する。このため、撮影者は、このライトガイド１３を通して出射した発光素子３５の光から充電完了の有無を確認することができる。
【００３１】
図６は、このレンズ付きフイルムユニット２が、包装体６５に包装された製品状態のときの外観斜視図である。包装体６５はガセット袋６６、及びトレイ６７とからなる。トレイ６７は、例えば厚紙からなり、レンズ付きフイルムユニット２を衝撃などから保護するために、正面、上面及び底面を囲むようにコの字状に折り曲げ形成されている。ガセット袋６６は、筒状に形成されており、トレイ６７に覆われたレンズ付きフイルムユニット２が内部に収納され、両端部が熱溶着で封止されている。
【００３２】
この未使用時の製品状態のとき、外装シート４には、ミシン目７０を介して、切替阻止部材としての切替阻止片６８、６９が一体に形成されている。この切替阻止片６８，６９によって、未使用時のレンズ付きフイルムユニット２は、切替阻止状態が保持されている。
【００３３】
切替阻止片６８は、外装シート４から、ストロボ切替操作部材８へ向かって突出するように形成されており、未使用時の状態では、この切替阻止片６８がストロボ切替操作部材８を完全に覆っており、通常位置と充電位置との間の切り替え操作を阻止するようになっている。
【００３４】
切替阻止片６９は、外装シート４の上面に位置しており、周囲は全てミシン目７０によって囲まれている。この切替阻止片６９は、未使用時の状態では、ライトガイド１３の上方を覆っている。これによって、ライトガイド１３がユニット本体３の内部から、外部へ突出する突出位置へのスライド移動を阻止することができる。さらに、ライトガイド１３のスライド移動が阻止されるので、これに連動するストロボ充電スイッチ８のスライド移動も同時に阻止される。
【００３５】
なお、包装体６５を構成するガセット袋６６としては、水素透過性の高い材質を使用する。これによって、電池４１から流出した水素ガスが、ガセット袋６６を透過して外部に流出するので、ガセット袋６６の内部に水素ガスが充満することなどがない。また、ガセット袋６６の構成としてはこれに限らず、水素ガス流出用の開口を形成したものでもよい。
【００３６】
上記構成の作用について、以下に説明する。組立工場において組み立てられたレンズ付きフイルムユニット２は、上述したように切替阻止片６８，６９によって切替阻止状態が保持されている。そして、この切替阻止状態が保持されたレンズ付きフイルムユニット２がトレイ６７に囲まれ、さらにガセット袋６６に包装されて製品状態となる。この製品状態とされたレンズ付きフイルムユニット２は、組立工場より各地の販売店に輸送され、店頭に並べられる。この流通過程において、レンズ付きフイルムユニット２が落下したり、振動を受けたりして衝撃が加えられても、切替阻止片６８，６９によって、ストロボ切替操作部材８のオン／オフ切り替え操作が阻止されているので、ストロボ装置１５がオン状態になることはない。すなわち、オフ状態にあるストロボ装置１５では、電池４１からの給電を受けることはないので、無駄な電池４１の消費を防ぎ、製品寿命を延ばすことができる。
【００３７】
販売店からユーザーに購入されたレンズ付きフイルムユニット２は、ガセット袋６６から取り出される。そしてユーザーが撮影を行うとき、図７に示すように、レンズ付きフイルムユニット２から切替阻止片６８，６９が取り外される。切替阻止片６８，６９と外装シート４とはミシン目７０を介して連結しているので、このミシン目７０に沿って容易に取り外すことができる。切替阻止片６８，６９が取り外されたレンズ付きフイルムユニット２は、ストロボ切替操作部材８及びライトガイド１３が露呈されるので、ストロボ装置１５のオン／オフ切り替え操作が許容され、ストロボ撮影を行うことが可能となる。
【００３８】
なお、上記例では、切替阻止片６８，６９を外装シート４と一体に形成し、ミシン目７０に沿って取り外すようにしているが、これに限るものではなく、例えば切替阻止部材を外装シート４とは別部材で構成し、粘着テープなどによってユニット本体３に着脱自在に貼着して、ストロボ切替操作部材８や、ライトガイド１３の移動を阻止するようにしても、上記例と同様の効果を得ることができる。また，トレイとは別部材で構成した切替阻止部材を、ガゼット袋の内面側に接着又は溶着などにより固定する構成としてもよい。
【００３９】
上記第１の実施形態においては、切替阻止部材を設けることによって専用電池４１からストロボ装置１５への給電を防ぎ、専用電池４１の無駄な使用を防ぐようにしているが、本発明はこれに限るものではない。以下では別の構成で専用電池の無駄な使用を防いだ本発明の第２の実施形態を説明する。なお、上記第１の実施形態と同様の部材および部品を用いた場合は、同符号を用いて説明を省略する。
【００４０】
図８は、本発明の第２の実施形態を実施したレンズ付きフイルムユニットの外観斜視図である。このレンズ付きフイルムユニット７１は、各種撮影機構が組み込まれたユニット本体７３と、このユニット本体７３を部分的に覆う外装シート７４とからなる。
【００４１】
ユニット本体７３は、図９に示すように、本体基部１９と、その本体基部１９の前後を覆うように取り付けられる前カバー７７，及び後カバー７８とから構成されている。本体基部１９には、ストロボ装置１５が組み込まれており、このストロボ装置１５の電源として、上記第１の実施形態と同様に専用電池４１が使用されている。後カバー７８には、その底部に底蓋７８ａ，７８ｂが形成されており、これらの底蓋７８ａ，７８ｂによってパトローネ室２２とフイルムロール室２３の底部が光密に閉じられる。さらに、後カバー７８の底面壁７８ｃには、後述する絶縁部材８０を挿入するための挿入開口８１が形成されている。
【００４２】
図１０は、このレンズ付きフイルムユニット７１が、包装体に包装された製品状態のときの外観斜視図及び要部断面図である。包装体８５は、図１１に示すように、ガセット袋６６、及びトレイ８６とからなる。トレイ８６は、例えば厚紙からなる。このトレイ８６は、矩形状の正面壁８７と、この正面壁８７の上下から連続し、正面壁８７に対して直角に折り曲げ形成されている上面壁８８及び底面壁８９とからなる。トレイ８６の底面壁８９には、絶縁部材としての突出片８０が一体に形成されている。
【００４３】
この未使用時の製品状態のとき、レンズ付きフイルムユニット７１は、突出片８０によって、電池４１と電極接片３３との間の絶縁状態が保持されている。この突出片８０は、底面壁８９から挿入開口８１を通して、ユニット本体７３の内部に位置し、電池４１の正極端子４２と、電極接片３３との間に挿入され、電極接片３３の弾性力によって挟持されている。これによって、電池４１と電極接片３３との間の電気的接続が阻止されている。なお、突出片８０は、電極接片３３と正極端子４２との間に挿入することができるように剛性を持った部材から形成されている。
【００４４】
上記構成の作用について、以下に説明する。組立工場において組み立てられたレンズ付きフイルムユニット７１は、上述したようにトレイ８６と一体に形成された突出片８０によって絶縁状態が保持されている。このとき、上述したように突出片８０が剛性を持った部材で形成されているので、組立完了後のレンズ付きフイルムユニット７１の外部から、突出片８０を挿入して容易に絶縁状態にすることができる。そして、このトレイ８６に囲まれたレンズ付きフイルムユニット７１が、さらにガセット袋６６に包装されて製品状態となる。この製品状態とされたレンズ付きフイルムユニット７１は、組立工場より各地の販売店に輸送され、店頭に並べられる。この流通過程において、レンズ付きフイルムユニット７１が落下したり、振動を受けたりして衝撃が加えられても、突出片８０によって絶縁状態が保持されて、電池４１から回路基板３０への電源供給が停止されている。よって無駄な電池４１の消費を防ぎ、製品寿命を延ばすことができる。
【００４５】
また、上記例においては、絶縁部材８０をトレイ８６と一体に形成しているが、これに限るものではなく、絶縁部材をトレイとは別部材で構成してもよいし、包装体として収納ケースを使用する場合、収納ケースと絶縁部材とを一体に形成しても、同様の効果を得ることができる。さらにまた、上記例においては、絶縁部材８０を、電池４１の電極とこれに対応する電極接片との間に挿入する構成としているが、絶縁部材８０を挿入する箇所はこれに限らず、電池４１から給電を行う電気的経路の途中で、絶縁部材８０の挿入により通電を遮断する箇所であればよく、例えば、互いに接触することにより電気的に接続されている接点部を設け、その接点に絶縁部材を挿入して電池４１からの通電を遮断するような構成としてもよい。
【００４６】
なお、上記第１，２の実施形態においては、略円柱形状の専用電池４１を例に上げて説明しているが、専用電池の形状はこれに限るものではなく、例えば、外周径の一部分が細い円柱部となっている段差付きの形状のものを使用することもできる。
【図面の簡単な説明】
【００４７】
【図１】第１の実施形態を適用したレンズ付きフイルムユニットの外観斜視図である。
【図２】レンズ付きフイルムユニットの分解斜視図である。
【図３】本体基部及びストロボ装置の外観斜視図である。
【図４】レンズ付きフイルムユニット専用電池の外観斜視図である。
【図５】レンズ付きフイルムユニット専用電池の要部断面図である。
【図６】包装体によって包装された状態のレンズ付きフイルムユニットの外観斜視図である。
【図７】切替阻止片を取り外すときのレンズ付きフイルムユニットを示す外観斜視図である。
【図８】第２の実施形態を適用したレンズ付きフイルムユニットの外観斜視図である。
【図９】レンズ付きフイルムユニットの分解斜視図である。
【図１０】包装体によって包装された状態のレンズ付きフイルムユニットの要部断面図である。
【図１１】レンズ付きフイルムユニット及び包装体の構成を示す外観斜視図である。
【符号の説明】
【００４８】
２  レンズ付きフイルムユニット
３  ユニット本体
４  外装シート
４１  レンズ付きフイルムユニット専用電池
６５  包装体
６６  ガセット袋
６７  トレイ
６８，６９  切替阻止片
８０  絶縁部材
【図１】
2005049600.tif 000003
【図２】
2005049600.tif 000004
【図３】
2005049600.tif 000005
【図４】
2005049600.tif 000006
【図５】
2005049600.tif 000007
【図６】
2005049600.tif 000008
【図７】
2005049600.tif 000009
【図８】
2005049600.tif 000010
【図９】
2005049600.tif 000011
【図１０】
2005049600.tif 000012
【図１１】
2005049600.tif 000013